(57)【要約】【課題】差込口を有する電源部と電源プラグとの装着不備によるほこりやごみの滞積によって発生するトラッキングを防止することを課題とする。【解決手段】プラグ本体１０と一対の端子２０とプラグ本体１０に設けたストッパー４０及びワイパー５０とを備え、ストッパー４０は、一端に電源部４に設けた突起６０に係合する凸部４１を形成し、ワイパー５０を一対の端子２０が挿通する一対の穴５３を有する絶縁性平板５１と、一端がプラグ本体１０に固定され、他端が絶縁性平板５１に固定され、端子２０を挿通した絶縁性平板５１を端子２０の先端方向に付勢する絶縁性の弾性体５２とで構成して、トラッキングを防止することを実現した。【選択図】図１
2006100062.tif 000002
【特許請求の範囲】
【請求項１】
プラグ本体と一対の端子と前記プラグ本体に設けたストッパーとを備え、前記ストッパーは、一端に電源部に設けた突起に係合する凸部を形成し、他端にその係合を外すためのつまみ部を形成したことを特徴とする電源プラグ。
【請求項２】
プラグ本体と一対の端子と前記プラグ本体に設けたワイパーとを備え、前記ワイパーは、前記一対の端子が挿通する一対の穴を有する絶縁性平板と、一端が前記プラグ本体に固定され、他端が前記絶縁性平板に固定され、前記端子を通した前記絶縁性平板を前記端子の先端方向に付勢する絶縁性の弾性体とで構成されることを特徴とする電源プラグ。
【請求項３】
請求項２記載の電源プラグに、一端に電源部に設けた突起に係合する凸部を形成し、他端にその係合を外すためのつまみ部を形成したストッパーを設けたことを特徴とする電源プラグ。
【請求項４】
前記ストッパーは、中央部が回転自在に支持されたシーソー構造に構成され、前記凸部が前記プラグ本体の方向に付勢され、前記凸部の先端がテーパー状に形成されたことを特徴とする請求項１又は３記載の電源プラグ。
【請求項５】
一対の差込口を有する電源部と、プラグ本体と差込用の一対の端子を有する電源プラグとを備えた電源プラグのトラッキング防止構造において、
前記差込口の近傍に突起を設け、前記プラグ本体に、一端に前記突起に係合する凸部を形成し、他端にその係合を外すためのつまみ部を形成したストッパーを設け、
前記差込口に前記端子を差込むことにより、前記電源部の突起に前記ストッパーの凸部を係合させてロックすることを特徴とする電源プラグのトラッキング防止構造。
【請求項６】
請求項５記載の電源プラグのトラッキング防止構造において、
前記一対の端子が挿通する一対の穴を有する絶縁性平板と、一端が前記プラグ本体に固定され、他端が前記絶縁性平板に固定され、前記端子を挿通した前記絶縁性平板を前記端子の先端方向に付勢する絶縁性の弾性体とで構成されたワイパーを前記プラグ本体に設けたことを特徴とする電源プラグのトラッキング防止構造。
【請求項７】
前記ストッパーは、中央部が回転自在に支持されたシーソー構造に構成され、前記凸部が前記プラグ本体の方向に付勢され、前記凸部の先端がテーパー状に形成されたことを特徴とする請求項５又は６記載の電源プラグのトラッキング防止構造。
【発明の詳細な説明】
【技術分野】
【０００１】
本発明はＡＣ電源等に使用される電源プラグ及びそのトラッキング防止構造に関するものである。
【背景技術】
【０００２】
図４は従来の電源プラグを示す斜視図である。
電源プラグはプラグ本体１と、金属の一対の端子２とで構成され、プラグ本体１は端子２に接続された電源コード３と、端子２の一部を合成樹脂でモールドすることにより形成されている。
電源プラグが差し込まれる電源部、例えばコンセント４は一対の差込口５を有しており、電源プラグの端子２を差し込んで、電源プラグをコンセント４に装着する。
【０００３】
この場合、コンセント４に電源プラグを完全に装着できれば良いが、半装着（半脱落）の状態であったり、また、使用中に半装着になることもあり、コンセント４とプラグ本体１との間に隙間が発生することがある。
この場合には、長時間の使用により、コンセント４とプラグ本体１との間にほこりやごみがたまり、ほこりやごみが空気中の水分を吸収することによって、電源プラグの両端子間に微小電流が流れ、電源プラグの表面に炭化導電路（トラック）ができ、発熱・発火というトラッキング現象を引き起こすことがあった。
【０００４】
このようなトラッキングを防止するために、平形端子のモールド被覆から露出する部分の少なくとも対向する面基部全面に合成樹脂絶縁層を形成した電源プラグが提案されている（特許文献１参照）。
【特許文献１】特開平０８−２２２３０８号公報
【発明の開示】
【発明が解決しようとする課題】
【０００５】
しかしながら、引用文献１では、電源プラグの両端子に合成樹脂絶縁層を形成して両端子間に電源を流さないようにしてトラッキングを防止している。この場合、コンセント内の刃受けとの接触不良を起こさないために、平形端子の板厚規格により、合成樹脂絶縁層の表面が全体の端子面と同一になるように形成しなければならない。
そのため、端子面に凹部を形成し、その凹部に合成樹脂絶縁層を形成して端子面を同一にするという複雑な構成が必要となる。
また、特許文献１では、トラッキングの原因となるコンセントと電源プラグとの装着不備によるほこりやごみの滞積を防止することについては全く対策がとられていないので、ほこりやごみが大量にたまった場合には、トラッキングを確実に防止することは困難だと想像される。
【課題を解決するための手段】
【０００６】
上記課題を解決するため、本発明は、第１の手段として、プラグ本体と一対の端子と前記プラグ本体に設けたストッパーとを備え、前記ストッパーは一端に電源部に設けた突起に係合する凸部を形成し、他端にその係合を外すためのつまみ部を形成したものである。
また、第２の手段として、プラグ本体と一対の端子と前記プラグ本体に設けたワイパーとを備え、前記ワイパーを、前記一対の端子が挿通する一対の穴を有する絶縁性平板と、一端が前記プラグ本体に固定され、他端が前記絶縁性平板に固定され、前記端子を挿通した前記絶縁性平板を前記端子の先端方向に付勢する絶縁性の弾性体とで構成したものである。
【発明の効果】
【０００７】
本発明は、簡単な構造で、ほこりやごみをためないようにして電源プラグのトラッキングを防止することができる。
【発明を実施するための最良の形態】
【０００８】
本発明は、プラグ本体と一対の端子とプラグ本体に設けたストッパー及びワイパーとを備え、ストッパーは、一端に電源部に設けた突起に係合する凸部を形成し、他端にその係合を外すためのつまみ部を形成し、ワイパーを、一対の端子が挿通する一対の穴を有する絶縁性平板と、一端がプラグ本体に固定され、他端が絶縁性平板に固定され、端子を挿通した絶縁性平板を端子の先端方向に付勢する絶縁性の弾性体とで構成して、トラッキングを防止することを実現した。
【実施例】
【０００９】
図１は本発明の実施例を示す斜視図、図２は実施例の平面図である。
電源プラグは、プラグ本体１０と、一対の端子２０と、プラグ本体１０に設けたストッパー４０及びワイパー５０とを備えている。
プラグ本体１０は、端子２０に接続された電源コード３０と、端子２０の一部とを合成樹脂でモールドすることにより形成されている。
端子２０は従来と同じであるが、少なくとも一対備えていれば、３端子のものやアース端子等を有する電源プラグであっても良い。
【００１０】
ストッパー４０は、合成樹脂製で、プラグ本体１０の両脇に設けられ、一端にコンセント４に設けられた突起６０に係合する凸部４１を形成し、他端にその係合を外すためのつまみ部４２を形成している。ストッパー４０の中央部は、図２に示すように、プラグ本体１０の両側に形成された支持台４３に、軸４４を中心にして回転自在に支持され、ストッパー４０は全体としてシーソー構造に構成されている。
また、凸部４１はプラグ本体４０の方向に図示してないスプリングにより付勢され、凸部４１の端子２０方向の先端４５はテーパー状に形成されている。
なお、ストッパー４０をプラグ本体１０の両脇に設けた例を示したが、その位置は突起６０との関係でプラグ本体１０の上面又は下面にすることもでき、また、ストッパー４０の数も２個に限定されず、電源プラグの装着が確保できればいくつであっても良い。
【００１１】
ワイパー５０は、合成樹脂等による絶縁性平板５１と、絶縁性の弾性体例えば絶縁性の合成樹脂のパンタグラフ式バネ５２とで構成されている。
絶縁性平板５１は端子２０の先端側に配置され、一対の端子２０がスライド可能に挿通する一対の穴５３を有している。バネ５２は一対の端子２０の間に配置され、一端がプラグ本体１０に接着等の手段により固定され、他端が絶縁性平板５１に接着等の手段により固定されている。穴５３に端子２０を挿通した絶縁性平板５１は、バネ５２により端子２０の先端方向に付勢される。
【００１２】
電源プラグを装着する電源部の例であるコンセント４は、従来と同様に一対の端子２０がそれぞれ差し込まれる一対の差込口５を有している。
差込口５の両側には、絶縁性の合成樹脂等で形成された突起６０がネジ止め又は接着等の手段により固定されている。突起６０にはストッパー４０の凸部４１が嵌合する段差又は凹部６１が形成され、突起６０の先端部６２は凸部４１のテーパー状の先端４５に対応してテーパー状に形成されている。
なお、差込口５を有する電源部として壁６に嵌め込まれたコンセント４を例示したが、可搬型の電源タップや各種装置の差込口を有する電源部であっても良い。
【００１３】
次に動作について説明すると、コンセント４に電源プラグを装着していない状態の場合には、図２に示すように、電源プラグのワイパー５０のバネ５２は伸長している。
この電源プラグの端子２０をコンセント４の差込口５に差し込み、更に電源プラグを押し込むと、バネ５２は屈曲し、ストッパー４０の凸部４１の先端４５と突起６０の先端部６２が接触する。先端４５と先端部６２は互いに対応するようにテーパー状に形成されているので、凸部４１は図示してないスプリングの付勢に抗してプラグ本体１０から離れる方向に回転し、電源プラグが更に押し込まれると、凸部４１は付勢された力により突起６０の凹部６１に嵌合する。
【００１４】
図３はこのようにして電源プラグをコンセントに装着した状態を示す平面図である。
ワイパー５０の絶縁性平板５１はコンセント４の表面に密着し、バネ５２は屈曲して絶縁性平板５１とプラグ本体１０に挟まれて密着した状態になる。
両側の凸部４１は両側の突起６０の凹部６１にそれぞれ嵌合して、ストッパー４０が突起６０にロックされた状態になる。このようになると、電源プラグはコンセント４から抜けない状態になる。
もし、ストッパー４０が突起６０にロックされていない場合は、電源プラグがコンセント４と半装着の状態である。ロックされているかどうかは視覚的に容易に確認することができるので、ロックされていない時は電源プラグを押し込んで、しっかりとロックさせれば良い。
【００１５】
ロックされている場合は、コンセント４と絶縁性平板５１、絶縁性平板５１と屈曲したバネ５２、屈曲したバネ５２とプラグ本体１０の端子２０側の表面がそれぞれ密着するので、両端子２０の間においてはコンセント４とプラグ本体１０の間には隙間が発生しない。
従って、コンセント４とプラグ本体１０間の隙間にほこりやごみが滞積することはほとんどないので、トラッキングを防止することができる。
なお、両端子２０の外側には隙間は発生するが、この隙間にほこりやごみがたまっても両端子２０の外側であるのでトラッキングを起こすことはない。
【００１６】
電源プラグをコンセント４から抜くには、両側のストッパー４０のつまみ部４２を指でつかんで押すと、凸部４１が嵌合していた凹部６１から離れてロックが解除されるので、その状態のまま電源プラグを引き抜けば良い。
電源プラグを引き抜くと、ワイパー５０のバネ５２はそのバネ性により図２の屈曲状態から図１の伸長状態になる。この際、バネ５２の作用により図１に示した絶縁性平板５１の穴５３が端子２０をスライドして絶縁性板５１は端子２０の先端方向に移動する。
そのため、もしコンセント４とプラグ本体１０間にほこりやごみが滞積していた場合には、端子２０に付着したほこりやごみを含めて、それらを絶縁性平板５１の移動により自動的に排除することができ、トラッキングを防止することができる。
【００１７】
上記した実施例においては、プラグ本体１０にストッパー４０とワイパー５０の両方を設けた例で説明したが、ストッパー４０又はワイパー５０のいずれか一方のみを設けることもできる。
コンセント４に突起６０を設け、プラグ本体１０にストッパー４０のみを設けた場合には、ワイパー５０がないので、図３に示すように、突起６０とストッパー４０が係合した状態では、コンセント４と絶縁性平板５１、絶縁性平板５１とプラグ本体１０の端子２０側の表面がそれぞれ密着するように構成されるので、コンセント４とプラグ本体１０の間には隙間は発生しない。
従って、コンセント４とプラグ本体１０の間の隙間にほこりやごみが滞積することはほとんどないので、トラッキングを防止することができる。
【００１８】
また、コンセント４は突起６０を設けない従来と同じ構成にし、プラグ本体１０にワイパー５０のみを設けた場合には、コンセント４と電源プラグはロックされないが、電源プラグをコンセント４から引き抜いた際に、ワイパー５０のバネ５２の作用によって絶縁性平板５１を端子２０の先端方向に移動させることにより、端子２０に付着したほこりやごみを含めて、コンセント４とプラグ本体１０間の隙間に滞積したほこりやごみを自動的に排除することができ、トラッキングを防止することができる。
なお、バネ５２の力は絶縁性平板５１を移動させる程度であるので、使用中にコンセント４に差し込まれた電源プラグがバネ５２の力によって半装着になることはない。
【図面の簡単な説明】
【００１９】
【図１】本発明の実施例を示す斜視図である。
【図２】実施例の平面図である。
【図３】電源プラグを装着した状態を示す平面図である。
【図４】従来の電源プラグを示す斜視図である。
【符号の説明】
【００２０】
４            コンセント
５            差込口
１０          プラグ本体
２０          端子
３０          電源コード
４０          ストッパー
４１          凸部
４２          つまみ部
４３          支持台
４４          軸
４５          先端
５０          ワイパー
５１          絶縁性平板
５２          バネ
５３          穴
６０          突起
６１          凹部
６２          先端部
【図１】
2006100062.tif 000003
【図２】
2006100062.tif 000004
【図３】
2006100062.tif 000005
【図４】
2006100062.tif 000006